(57)【要約】      （修正有）【課題】爬虫類、両生類等の飼育容器等に架設使用する冷却及び加温調整装置を提供する。【解決手段】機器本体１には、上面蓋と下面蓋４とを有し、該上面蓋の内部には、上部給気ファンと熱を放散する上部ヒートシンク及び電気機器部を並設し、該下面蓋の内部には、下部給気ファンと熱を放散する下部ヒートシンクを並設してある。また、該機器本体の両側面には、取付具によって伸縮管を設け、その内部に伸縮アーム１９を挿入してあることを特徴とする。【選択図】図１
2014135951.tif 000002
【特許請求の範囲】
【請求項１】
機器本体（１）には、上部給気孔（５）と端部に上部排気孔（６）とを設けた上面蓋（３）を有し、内部には、上部給気ファン（７）と熱を放散する上部ヒートシンク（８）及び電気機器部（９）を並設し、該機器本体（１）下面の下面蓋（４）には、下部給気孔（１０）と端部に下部排気孔（１１）を形成し、該下面蓋（４）には、内部に下部給気ファン（１２）と、熱を放散する下部ヒートシンク（１３）とを並設し、且つ該機器本体（１）には、側面に電気ソケットの差込口（１５）、スイッチ（１６）及び冷却ランプ（１７）と温熱ランプ（１８）を装設したことを特徴とした爬虫類、両生類の飼育容器用冷却、加温調整装置。
【請求項２】
請求項１における機器本体（１）には、両側辺には、取付具（２１）（２１）を以って伸縮管（２）（２）を取着け、該伸縮管（２）（２）には、内部に伸縮アーム（１９）（１９）を挿入したことを特徴とする請求項１記載の爬虫類、両生類の飼育容器用冷却、加温調整装置。
【発明の詳細な説明】
【技術分野】
【０００１】  本発明は、脊椎動物に属する変温動物の一群で鱗の有る動物の例えばヘビ、トカゲ、ワニ、カメ等、及び鱗の無い動物のカエル、イモリ等の、爬虫類、両生類の飼育容器用冷却、加温調整装置に関するものである。
【背景技術】
【０００２】  従来、この種の爬虫類等における加熱、冷却に対する装置は、大型の温冷機器を室内で使用し、各々の装置に直接アームを設け、容器に合せて伸縮して載置し、吸熱及び発熱が発生するペルチェ効果を利用して加温及び冷却できる調整装置は、散見されていない現状である。
【発明の開示】
【発明が解決しようとする課題】
【０００３】  従来のこの種の爬虫類等の飼育用の加温及び冷却装置では、各々の容器に対して加温及び冷却装置を容器の大きさに合せて設置することは不可能で、設置作業が大変に面倒で複雑となる欠点がある。
本発明は、上記従来の加温及び冷却装置を簡単に小型化して各容器に極めて容易に使用出来るものであって、その主たる目的とする所は、各種の大小の爬虫類等を収容する容器に合せて自由に伸縮して設置し、且つ加温及び冷却装置には、上下の２ヶ所に給排気ファンと熱を放散するヒートシンク及び給排気孔を各々設け、また上下の熱を放散するヒートシンクに熱を移動させるペルチェ素子を介して接合し冷却及び加熱した空気を送風することが出来るようにした爬虫類、両生類の飼育容器用冷却、加温調整装置を提供しようとするものである。
【課題を解決するための手段】
【０００４】  上記目的を達成するために、本発明の機器本体は、略方形状であって、上面に給気孔と上部排気孔とを有する上面蓋を設け、内部には、端部に給気ファンと熱を放散する上部ヒートシンク及び電気機器部を並設してある。
更に、該機器本体の下面側に設けた下面蓋には、下記給気孔と、端部に下部排気孔を形成してある。該下面蓋には、内部に下部給気ファンと熱を放散する下部ヒートシンクとを並設してある。
加えて、該上下各ヒートシンクは熱を移動させるペルチェ素子を介して接合されている。
また、該機器本体には、一方の側面に差込口、スイッチ及び冷却ランプと温熱ランプとを装設してある。
また、該機器本体には、両側面に伸縮管を取付け、該伸縮管の内部に係合枠を設けた伸縮アームを収納してある。
【発明の効果】
【０００５】  本発明は、以上説明したように構成されているので、気温に対して非常に敏感である爬虫類等に対して飼育に非常に便利となる効果がある。
庫内の温度を制御する為の熱源には、熱を移動させるペルチェ素子を使用し電気使用量を抑制することができる。
加えて、上面蓋に設けた給気孔と上部排気孔を設けたことにより、空気の浸入を容易とすると共に、上部排気孔により、上方と側方に、加温空気及び冷却空気を自由に送風できる効果と、上面蓋の内部に設けた電気機器、給気ファン及び熱を放散する上部ヒートシンクによっては、ホットの場合は吸熱及びコールドの場合は排熱を促す効果がある。
更に、下面蓋には、下部給気孔と下部排気孔を設けてあるので、下方より空気を吸込んで、下方と側方の一部に加温空気又は冷却空気を循環して下方に送風できる効果と、内部に設けた下部給気ファンと、熱を放散する下部ヒートシンクによって、加温空気又は冷却空気とを下方の容器等に自由に選択して送風できる効果がある。
また、該機器本体の両側辺に設けた伸縮管の内部に挿入した伸縮アームによっては、爬虫類等を飼育している各種の容器等の大小の容器に対応して自由伸縮して掛止載置できると云う便利な効果がある。
【図面の簡単な説明】
【０００６】
【図１】  本発明の操作作用と伸縮アームを伸縮した状態を示す正面全体の側面図である。
【図２】  同じく本発明の上面全体の平面図である。
【図３】  本発明の図２の上面蓋を開放して内部を開示した平面図である。
【図４】  同じく本発明の下面全体の平面図である。
【図５】  本発明の図４の下面蓋を開放した内部を示す平面図である。
【発明を実施するための形態】
【０００７】  上記のように構成されている爬虫類、両生類の飼育容器用冷却、加温調整装置によれば、電源の差込口（１５）にコードを差込み、スイッチ（１６）を冷却ランプ（１７）又は温熱ランプ（１８）のいずれかに操作すると電気機器部（９）が作動し、上部給気ファン（７）及び下部給気ファン（１２）が同時に回転吸引する上面の上部給気孔（５）より空気が浸入し、下面の下部給気孔（１０）も空気が同時に浸入する上下の給気ファン（７）及び（１２）によって送られた空気は、冷却又は温熱の操作によって熱を放散する上部ヒートシンク（８）及び熱を放散する下部ヒートシンク（１３）、加えて各々に挟まれて設置されている熱を移動させるペルチェ素子が作用するものである。
【０００８】  そして、図３に示す上部の上部給気ファン（７）によって生ずる空気の流れを利用して熱を放散する上部ヒートシンク（８）に空気を当て、温熱ランプ（１８）の操作の場合は放熱し、冷却ランプ（１７）の操作の場合は吸熱を促すものである。また、該上部ヒートシンク（８）を通過した空気は側面の上部排気孔（６）より排出される。
【０００９】  次に、図５に示す下部の下部給気ファン（１２）によって生ずる空気の流れを利用して熱を放散する下部ヒートシンク（１３）（１３）に空気を通過させ、温熱ランプ（１８）の操作の場合は排熱し、冷却ランプ（１７）が点燈した場合は、吸熱されるものである。
以上の様に、吸熱、排熱された下部の吸排気は、設置した各種の容器内を自由に循環することによって加温冷却を促すものである。
【実施例】
【００１０】  次に、本発明の実施例を図面について説明すると、図１において、機器本体（１）の側面を示すもので、各種の収納容器又はゲージ内に落下しないように、両側面に取付具（２１）（２１）…を以って伸縮管（２）（２）を取着け、該伸縮管（２）（２）には、両端に係合枠（２０）を設けた伸縮アーム（１９）（１９）を収納してある。
また、該機器本体（１）には、側面にソケットの差込口（１５）、スイッチ（１６）及び冷却ランプ（１７）、温熱ランプ（１８）を各々装設してある。
図２に示す実施例では、本考案の上面を示すもので、上面蓋（３）には、上部給気孔（５）と端部に多数の上部排気孔（６）を形成してある。
図３に示すものは、図２に示した上面蓋（３）を開放した状態を示し、内部には、端部より上部給気ファン（７）と熱を放散する上部ヒートシンク（８）と並設すると共に、該上部ヒートシンク（８）に隣接して電気機器部（９）のセットを並設して装設してある。
また、該上部ヒートシンク（８）と下部ヒートシンク（１３）は、間に吸熱及び発熱を発生するペルチェ素子を介して接続している。【００１１】  図４に示される実施例では、該機器本体（１）の下面の正面図であって、下面蓋（４）には、一方に円形状の下部給気孔（１０）を穿設すると共に、他方の端部に並設した下部排気孔（１１）を形成してある。
また、図５に示すものは、図４に示す下面蓋（４）を開放した状態を示したものであって、内部には、下部給気ファン（１２）と熱を放散する下部ヒートシンク（１３）を並設して装設してある。
次に、該下部給気ファン（１２）によって生じるエアフローを利用して該下部ヒートシンク（１３）に空気を当て、熱を移動させるペルチェ効果によって生じる熱交換作用を利用し、温熱ランプ（１８）の場合は排熱を促し、冷却ランプ（１７）の場合は、吸熱を促している。
以上のように、吸排熱を伴う下部の給排気は、設置した各種の容器内を循環しながら加温、冷却をするものである。
【符号の説明】
【００１２】１          機器本体
２          伸縮管
３          上面蓋
４          下面蓋
５          上部給気孔
６          上部排気孔
７          上部給気ファン
８          上部ヒートシンク
９          電気機器部
１０        下部給気孔
１１        下部排気孔
１２        下部給気ファン
１３        下部ヒートシンク
１５        差込口
１６        スイッチ
１７        冷却ランプ
１８        温熱ランプ
１９        伸縮アーム
２０        係合枠
２１        取付具
【図１】
2014135951.tif 000003
【図２】
2014135951.tif 000004
【図３】
2014135951.tif 000005
【図４】
2014135951.tif 000006
【図５】
2014135951.tif 000007